(57)【要約】【課題】クリアファイルの機能を持ちながら、メガホンに形態を変えることができるクリアファイルを提供する。【解決手段】表側シート３及び裏側シート５に、切り取り用のミシン目線を備え、該ミシン目線は、左辺５１から底辺５３に掛けて設けられた第一ミシン目線１１と、第一ミシン目線１１よりも左下隅１３からみて外側にあって、左辺５１から右辺５５に掛け第一ミシン目線１１と交わらないように設けられた第二ミシン目線２１と、からなり、第一ミシン目線１１に沿って左下隅１３が切り取られ、第二ミシン目線２１に沿って右上残部２３が切り取られ、第一ミシン目線１１と第二ミシン目線２１との間部分によって、メガホン７の錐形本体部９が形成される。【選択図】図１
0003204852.tif 000002
【実用新案登録請求の範囲】
【請求項１】
平面方形状の樹脂の薄板からなる表側シートと裏側シートが重ね合わされてそれ
ぞれの左端辺を閉塞してなる左辺と、
前記左辺から連接する前記表側シートと裏側シートの下端辺を閉塞してなる底辺
と、
前記表側シートと裏側シートの右辺を開放してなる出し入れ部と、が形成されてなるクリアファイルにおいて、
前記表側シート及び裏側シートに、前記左辺と前記底辺を含む面を対称面として面対称となるように設けられた切り取り用のミシン目線を備え、
前記ミシン目線は、前記左辺から前記底辺に掛けて設けられた第一ミシン目線と、前記第一ミシン目線よりも左下隅からみて外側にあって、前記左辺から前記右辺に掛け前記第一ミシン目線と交わらないように設けられた第二ミシン目線と、からなり、
前記第一ミシン目線に沿って切り取られ、左下開口端によって、メガホンの口当て部が形成され、前記第二ミシン目線に沿って切り取られ、右上開口端によって、メガホンの先端開口部が形成され、且つ前記第一ミシン目線と前記第二ミシン目線との間部分によって、メガホンの錐形本体部が形成される、
ことを特徴とするクリアファイル。
【請求項２】
平面方形状の樹脂の薄板からなる表側シートと裏側シートが重ね合わされてそれ
ぞれの左端辺を閉塞してなる左辺と、
前記左辺から連接する前記表側シートと裏側シートの下端辺を閉塞してなる底辺
と、
前記表側シートと裏側シートの右辺を開放してなる出し入れ部と、が形成されてなるクリアファイルにおいて、
前記表側シート及び裏側シートに、前記左辺と前記底辺を含む面を対称面として面対称となるように設けられた切り取り用のミシン目線を備え、
前記ミシン目線は、前記左辺から前記底辺に掛けて設けられた第一ミシン目線と、前記第一ミシン目線よりも左下隅からみて外側にあって、前記左辺から前記底辺に掛け前記第一ミシン目線と交わらないように設けられた第二ミシン目線と、からなり、
前記第一ミシン目線に沿って切り取られ、左下開口端によって、メガホンの口当て部が形成され、前記第二ミシン目線に沿って切り取られ、右上開口端によって、メガホンの先端開口部が形成され、且つ前記第一ミシン目線と前記第二ミシン目線との間部分によって、メガホンの錐形本体部が形成される、
ことを特徴とするクリアファイル。
【請求項３】
前記表側シート及び裏側シートに、前記左辺と前記底辺を含む面を対称面として面対称となるように設けられた折り曲げ用の折り目線を備え、
前記折り目線は、前記第一ミシン目線から前記右辺、若しくは前記第二ミシン目線に掛けて形成されてなる、
ことを特徴とする請求項１に記載のクリアファイル。
【請求項４】
前記折り目線は、前記第一ミシン目線から前記第二ミシン目線に掛けて形成されてなる、
ことを特徴とする請求項２に記載のクリアファイル。
【請求項５】
前記錐形本体部の底辺近傍に、前記表側シートと裏側シートとを貫通して開口可能となる横長穴が設けられ、前記メガホンを把持するための把手が構成されてなる、
ことを特徴とする請求項１〜４のいずれかに記載のクリアファイル。
【考案の詳細な説明】
【技術分野】
【０００１】
本考案は、クリアファイルに関するものである。
【背景技術】
【０００２】
従来から、各種資料等を一時的に保管したり、或いは持ち歩いたりするために、クリアファイルが使用されている。一般的なクリアファイルは、方形状のポリプロピレン（ＰＰ）からなる薄板シートの中央部分を折り曲げて閉じた左辺を形成し、その底辺を熱溶着等で固着することにより、上辺及び右辺を開いてできる出し入れ部が形成されて、各種資料等が収納できるように構成されている。
【０００３】
また、資源の有効活用のためクリアファイルを廃棄処分する前に、ミシン目に沿って切り取ることにより、ブックカバーとして再利用することができるブックカバーを備えたクリアファイルが考案されている（特許文献１参照）。
【先行技術文献】
【特許文献】
【０００４】
【特許文献１】実用新案登録第３２００１３７号公報
【考案の概要】
【考案が解決しようとする課題】
【０００５】
しかし、前記従来技術によっても、文具としての範囲を出るものではなく、販売や配布に当たって、他のクリアファイルと十分な差別化が図られているとは言い難いという課題があった。
【課題を解決するための手段】
【０００６】
本考案は、［１］前記課題を解決するための手段であるクリアファイルを提供す
るもので、平面方形状の樹脂の薄板からなる表側シートと裏側シートが重ね合わされてそれぞれの左端辺を閉塞してなる左辺と、前記左辺から連接する前記表側シートと裏側シートの下端辺を閉塞してなる底辺と、前記表側シートと裏側シートの右辺を開放してなる出し入れ部と、が形成されてなるクリアファイルにおいて、前記表側シート及び裏側シートに、前記左辺と前記底辺を含む面を対称面として面対称となるように設けられた切り取り用のミシン目線を備え、前記ミシン目線は、前記左辺から前記底辺に掛けて設けられた第一ミシン目線と、前記第一ミシン目線よりも左下隅からみて外側にあって、前記左辺から前記右辺に掛け前記第一ミシン目線と交わらないように設けられた第二ミシン目線と、からなり、前記第一ミシン目線に沿って切り取られ、左下開口端によって、メガホンの口当て部が形成され、前記第二ミシン目線に沿って切り取られ、右上開口端によって、メガホンの先端開口部が形成され、且つ前記第一ミシン目線と前記第二ミシン目線との間部分によって、メガホンの錐形本体部が形成されることを特徴とする。
【０００７】
また本考案は、［２］平面方形状の樹脂の薄板からなる表側シートと裏側シート
が重ね合わされてそれぞれの左端辺を閉塞してなる左辺と、前記左辺から連接する前記表側シートと裏側シートの下端辺を閉塞してなる底辺と、前記表側シートと裏側シートの右辺を開放してなる出し入れ部と、が形成されてなるクリアファイルにおいて、前記表側シート及び裏側シートに、前記左辺と前記底辺を含む面を対称面として面対称となるように設けられた切り取り用のミシン目線を備え、前記ミシン目線は、前記左辺から前記底辺に掛けて設けられた第一ミシン目線と、前記第一ミシン目線よりも左下隅からみて外側にあって、前記左辺から前記底辺に掛け前記第一ミシン目線と交わらないように設けられた第二ミシン目線と、からなり、前記第一ミシン目線に沿って切り取られ、左下開口端によって、メガホンの口当て部が形成され、前記第二ミシン目線に沿って切り取られ、右上開口端によって、メガホンの先端開口部が形成され、且つ前記第一ミシン目線と前記第二ミシン目線との間部分によって、メガホンの錐形本体部が形成されることを特徴とする。
【０００８】
前記ミシン目線は、当該線に沿ってクリアファイルを手で切断できるように形成された切り取り線であり、例えば、クリアファイルを構成するシートに形成された断続的な小穴によって構成されても良く、また、前記シートが部分的に薄く形成されることによって構成されても好ましい。
【０００９】
また、前記閉塞は、一枚のシートの中央部分を左右に折り曲げて構成されても良く、また、二枚のシートの端部同士を熱溶着、超音波溶着、或いは接着等によって構成されても好ましい。
【００１０】
前記第一ミシン目線は、前記口当て部を凹凸の少ない滑らかな形状にするために、円弧形状を採用しており、前記第一ミシン目線に沿って切り取って形成される前記口当て部は、日本人の口の平均的な横幅に合うように、円弧の寸法が決められることが好ましい。
【００１１】
前記第一ミシン目線及び前記第二ミシン目線に沿って切り取ることにより、前記メガホンの外形が形成され、クリアファイルから切り取った前記錐形本体部を広げることにより、前記口当て部から前記先端開口部に掛けて、ラッパ形状からなる前記メガホンを形成することができる。
【００１２】
前記メガホンをスポーツ観戦等で実際に使用する場合には、前記クリアファイルを薄板シートによって非常に軟らかい構造とすることにより、ラッパ形状からなる前記メガホンの形状を容易に形成することができる。メガホンに形成された前記錐形本体部を片手、若しくは両手で支えて前記口当て部に口を付けて応援することにより、一般のミニメガホンと遜色なく使用することができる。
【００１３】
前記［２］の前記第二ミシン目線は、前記［１］の前記第二ミシン目線よりも小さく形成され、前記錐形本体部の長手方向の長さが短くなることにより、前記［１］よりもさらに小型のメガホンを形成することができることにより、大人だけではなく、子供の使用に対しても好適である。
【００１４】
また本考案は、［３］前記表側シート及び裏側シートに、前記左辺と前記底辺を含む面を対称面として面対称となるように設けられた折り曲げ用の折り目線を備え、前記折り目線は、前記第一ミシン目線から前記右辺、若しくは前記第二ミシン目線に掛けて形成されてなる、前記［１］に記載のクリアファイルとしても良い。
【００１５】
また本考案は、［４］前記折り目線は、前記第一ミシン目線から前記第二ミシン目線に掛けて形成されてなる、前記［２］に記載のクリアファイルとしても良い。
【００１６】
前記［３］及び［４］の前記折り目線は、クリアファイルから切り取られた前記錐形本体部が膨らむ方向に広がり易くするためのものである。
【００１７】
また本考案は、［５］前記錐形本体部の底辺近傍に、前記表側シートと裏側シートとを貫通して開口可能な横長穴が設けられ、前記メガホンを把持するための把手が構成されてなる、前記［１］〜［４］に記載のクリアファイルとしても良い。
【００１８】
前記横長穴は、前記錐形本体部の底辺近傍に設けられ、開口した際に手の指が入る程度の横長の穴が前記表側シートと裏側シートに、ミシン目線と折り目線とから開口可能に形成されてなる。前記ミシン目線と折り目線は、前記表側シートと裏側シートで互いに位置を変えることにより、前記表側シートの前記錐形本体部側に第一舌片が形成されるように、他方、前記裏側シートの前記底辺側に第二舌片が形成されるように、それぞれ構成されてなることが好ましい。
【００１９】
この構成により、前記横長穴に指を挿入し、前記メガホンを把持することができる。この際、前記第一舌片及び第二舌片が形成されてなり、前記表側シートの前記第一舌片を前記裏側シートの裏側まで折り曲げることにより、前記第一舌片が前記錐形本体部の底辺近傍を支えることができる。一方、前記裏側シートの前記第二舌片を前記表側シートの表側まで折り曲げることにより、前記第二舌片がクリアファイルの前記底辺を支えることができる。以上のことにより、前記メガホンの姿勢の維持と、把持のし易さに効果がある。尚、前記第一舌片及び第二舌片は、前記錐形本体部から切り離し可能に形成しても良い。
【考案の効果】
【００２０】
本考案によれば、クリアファイルの機能を持ちながら、メガホンに形態を変えることができるクリアファイルを提供することができる。
【００２１】
また、メガホンに把手を付けることで、メガホンとして持ち易い。
【００２２】
さらに、従来のクリアファイルの構造をそのまま流用して、ミシン目線を付加するだけでメガホンが実現できるという簡単な構成にしていることにより、廉価で提供できる。
【図面の簡単な説明】
【００２３】
【図１】本考案のクリアファイルの第一の実施例を示す図であり、（イ）はミシン目線が入ったクリアファイルの正面図、（ロ）は（イ）のミシン目線を切り取って形成された錐形本体部の正面図である。
【図２】本考案のクリアファイルの第二の実施例を示す図であり、（イ）はミシン目線が入ったクリアファイルの正面図、（ロ）は（イ）のミシン目線を切り取って形成された錐形本体部の正面図である。
【図３】本考案のクリアファイルの第三の実施例を示す図であり、詳しくは、図１の第一の実施例に折り目線を加えたもので、（イ）はミシン目線と折り目線が入ったクリアファイルの正面図、（ロ）は（イ）のミシン目線を切り取って形成された錐形本体部の正面図である。
【図４】本考案のクリアファイルの第四の実施例を示す図であり、詳しくは、図２の第二の実施例に折り目線を加えたもので、（イ）はミシン目線と折り目線が入ったクリアファイルの正面図、（ロ）は（イ）のミシン目線を切り取って形成された錐形本体部の正面図である。
【図５】本考案のクリアファイルの第五の実施例を示す図であり、（イ）はミシン目線と折り目線が入ったクリアファイルの正面図、（ロ）は（イ）のミシン目線の内、横長穴のミシン目線以外を切り取って形成された錐形本体部の正面図である。
【図６】図５の（イ）の左辺を中心として表側シートと裏側シートに展開した展開図である。
【図７】クリアファイルを見開き状態にして上から見た図であり、対称面を説明するための説明図である。
【図８】図５の（ロ）の錐形本体部を広げてメガホンを形成した状態を示す斜視図である。
【考案を実施するための形態】
【００２４】
以下、本考案に係る実施の形態を、図１乃至図７を参照しながら詳しく説明する。
【００２５】
本考案の第一の形態のクリアファイル１は、図１及び図６に示すように、平面方
形状のポリプロピレン（ＰＰ）樹脂の薄板からなる一枚のシートの中央部分を左右
に折り曲げて形成されてなる表側シート３と裏側シート５が重ね合わされて構成さ
れ、それぞれの左端辺が閉塞してなる左辺５１と、左辺５１から連接する表側シー
ト３と裏側シート５の下端辺を熱溶着等で閉塞してなる底辺５３と、表側シート３
と裏側シート５の右辺５５と上辺５７を開放してなる出し入れ部５９とから形成さ
れてなる。
【００２６】
該クリアファイル１において、表側シート３及び裏側シート５に、左辺５１と底
辺５３を含む面を対称面として面対称となるように設けられた切り取り用のミシン目線を備え、該ミシン目線は、左辺５１から底辺５３に掛けて設けられた第一ミシン目線１１と、第一ミシン目線１１よりも左下隅１３からみて外側にあって、左辺５１から右辺５５に掛け第一ミシン目線１１と交わらないように設けられた第二ミシン目線２１と、からなり、第一ミシン目線１１に沿って左下隅１３が切り取られ、左下開口端１５によって、メガホン７の口当て部１７が形成され、第二ミシン目線２１に沿って右上残部２３が切り取られ、右上開口端２９によって、メガホン７の先端開口部１９が形成され、且つ第一ミシン目線１１と第二ミシン目線２１との間部分によって、メガホン７の錐形本体部９が形成される。
【００２７】
ここでいう対称面とは、図７に示すように、クリアファイル１の表側シート３と裏側シート５を見開き状態に展開して上から見た図において、中心線となる底辺５３から紙面に対して鉛直方向に起立する左辺５１及び底辺５３を含む仮想面Ａをいう。
【００２８】
本考案の第二の形態のクリアファイル１は、第一の形態と異なる構成として、図２に示すように、該ミシン目線は、左辺５１から底辺５３に掛けて設けられた第一ミシン目線１１と、第一ミシン目線１１よりも左下隅１３からみて外側にあって、左辺５１から底辺５３に掛け第一ミシン目線１１と交わらないように設けられた第二ミシン目線２５と、からなり、第一ミシン目線１１に沿って左下隅１３が切り取られ、左下開口端１５によって、メガホン７の口当て部１７が形成され、第二ミシン目線２５に沿って右上残部２７が切り取られ、右上開口端２９によってメガホン７の先端開口部１９が形成され、且つ第一ミシン目線１１と第二ミシン目線２５との間部分によって、メガホン７の錐形本体部９が形成される。
【００２９】
この構成によって、第一の形態では錐形本体部９の寸法を最大限長くすることができるので、メガホン７の拡声効果が向上する。また、第二の形態では錐形本体部９が第一の形態よりも短くなることにより、メガホン７がより小型化にできる。
【００３０】
本考案の第三の形態のクリアファイル１は、第一の形態と異なる構成として、図３に示すように、表側シート３及び裏側シート５に、左辺５１と底辺５３を含む面を対称面として面対称となるように設けられた折り曲げ用の折り目線を備え、該折り目線は、第一ミシン目線１１から右辺５５に掛けて形成されてなる第一折り目線７１、若しくは第二ミシン目線２１に掛けて形成されてなる第二折り目線７３が設けられている。
【００３１】
本考案の第四の形態のクリアファイル１は、第二の形態と異なる構成として、図４に示すように、表側シート３及び裏側シート５に、左辺５１と底辺５３を含む面を対称面として面対称となるように設けられた折り曲げ用の折り目線を備え、該折り目線は、第一ミシン目線１１から第二ミシン目線２５に掛けて形成されてなる第三折り目線７５が設けられている。
【００３２】
この構成によって、該折り目線は、クリアファイル１から切り取られた前記錐形本体部９が膨らむ方向に広がり易くすると共に、該折り目線がリブ効果を発揮することにより薄板の強度向上にも役立つものである。尚、該折り目線は、プレス型、或いはカッター刃等で薄板の断面をＶ字形の溝を形成することにより構成されても好ましい。
【００３３】
本考案の第五の形態のクリアファイル１は、第三の形態と異なる構成として、図５に示すように、第一ミシン目線３１と、第二ミシン目線３５と、第四折り目線７７と、第五折り目線７９と、が形成され、第一ミシン目線３１と第二ミシン目線３５が切り取られることにより、左下隅３３と右上残部３７が分離される。そして、錐形本体部９の底辺近傍の第四折り目線７７に、表側シート３と裏側シート５とを貫通して開口可能な横長穴３９が設けられ、メガホン７を把持するための把手９９が構成されてなる。
【００３４】
横長穴３９は、図６に示すように、錐形本体部９の底辺近傍に設けられ、開口した際に手の指が入る程度の横長の穴が表側シート３と裏側シート５に、ミシン目線９１と折り目線９３とから開口可能に形成されてなる。表側シート３側は、第四折り目線７７に沿って折り目線９３が形成され、折り目線９３からミシン目線９１が延伸されて開口可能な横長穴３９を形成し、開口した場合の第一舌片９５が形成されてなる。一方の裏側シート５側は、第四折り目線７７に沿ってミシン目線９１が形成され、ミシン目線９１から折り目線９３が延伸されて開口可能な横長穴３９を形成し、開口した場合の第二舌片９７が形成されてなる。
【００３５】
この構成により、横長穴３９に指を挿入し、メガホン７を把持することができる。この際、第一舌片９５及び第二舌片９７が形成されてなり、表側シート３の第一舌片９５を裏側シート５の裏側まで折り曲げることにより、第一舌片９５が錐形本体部９の底辺近傍を支えることができる。一方、裏側シート５の第二舌片９７を表側シート３の表側まで折り曲げることにより、第二舌片９７がクリアファイル１の底辺５３を支えることができる。以上のことにより、メガホン７の姿勢の維持と、把持のし易さに効果がある。
【００３６】
図８に示すように、第一ミシン目線３１と第二ミシン目線３５が切り取られることにより錐形本体部９が形成され、左下開口端１５と右上開口端２９を広げることによりラッパ状のメガホン７が構成される。また、指が入る横長穴３９を開口することにより第一舌片９５と第二舌片９７を開き把手９９と共にメガホン７を支えて把持することができる。
【００３７】
以上説明したように、錐形本体部９の底辺近傍を手で支え、または、横長穴３９と把手９９を把持して錐形本体部９の底辺近傍を支えて、口当て部１７に口を当てることにより、メガホン７の機能が使用できることになり、廃棄処分時の再利用という目的としてではなく、ノベルティー商品の位置付けとしても、クリアファイル１と十分な差別化が図られるものである。
【００３８】
また、クリアファイル１の機能を持ちながら、メガホン７に形態を変えることができるクリアファイル１を提供することができる。また、メガホン７に把手９９が付いているので、メガホン７として持ち易く、使い易い。
【００３９】
さらに、簡単な構成にしていることにより、廉価で提供できるために、スポーツ用品メーカーや飲料メーカー等に対して、ノベルティー商品としての提案がし易いクリアファイル１を提供することができる。
【符号の説明】
【００４０】
１    クリアファイル
３    表側シート
５    裏側シート
７    メガホン
９    錐形本体部
１１    第一ミシン目線
１３    左下隅
１５    左下開口端
１７    口当て部
１９    先端開口部
２１    第二ミシン目線
２３    右上残部
２５    第二ミシン目線
２７    右上残部
２９    右上開口端
３１    第一ミシン目線
３３    左下隅
３５    第二ミシン目線
３７    右上残部
３９    横長穴
５１    左辺
５３    底辺
５５    右辺
５７    上辺
５９    出し入れ部
７１    第一折り目線
７３    第二折り目線
７５    第三折り目線
７７    第四折り目線
７９    第五折り目線
９１    ミシン目線
９３    折り目線
９５    第一舌片
９７    第二舌片
９９    把手
Ａ    仮想面
【図１】
0003204852.tif 000003
【図２】
0003204852.tif 000004
【図３】
0003204852.tif 000005
【図４】
0003204852.tif 000006
【図５】
0003204852.tif 000007
【図６】
0003204852.tif 000008
【図７】
0003204852.tif 000009
【図８】
0003204852.tif 000010